(57)【要約】【課題】制御線の配線を短くすることのできる照明装置を提供する。【解決手段】  電源回路は、蛍光ランプの点灯を制御するための制御信号を、直流信号にのせて、直流信号を接続線に送出する。照明器具は、蛍光ランプを点灯させる交流信号に変換する機能を備え、直流信号の中から制御信号を検出すると、検出した制御信号に応じて蛍光ランプの点灯状態を制御する。【選択図】図１
2009134876.tif 000002
【特許請求の範囲】
【請求項１】
蛍光ランプを点灯させる照明装置であって、
前記蛍光ランプを制御するための制御信号を、前記蛍光ランプを点灯させるための直流信号にのせて、該直流信号を接続線に送出する電源回路と、
前記接続線からの前記直流信号を、前記蛍光ランプを点灯させる交流信号に変換する機能を備え、前記直流信号の中から前記制御信号を検出すると、検出した前記制御信号に応じて前記蛍光ランプの点灯状態を制御する照明器具と、を有する照明装置。
【請求項２】
前記電源回路は、複数の照明器具と接続しており、前記制御信号を受信すると、前記制御信号を前記直流信号にのせて前記複数の照明器具に送る、請求項１に記載の照明装置。
【請求項３】
前記電源回路は、商用交流電源と接続しており、該商用交流電源における商用の周波数の交流信号を一旦直流信号に変換し、前記制御信号を前記直流信号にのせて前記照明器具に送出し、
前記照明器具は、前記直流信号の中から前記制御信号を検出すると、前記直流信号の中から前記制御信号を抽出すると共に前記直流信号を前記商用の周波数より高い周波数の交流信号に変換し、該高い周波数の交流信号を前記蛍光ランプに印加する、請求項１または２に記載の照明装置。
【請求項４】
前記制御信号は、前記蛍光ランプの点灯あるいは消灯または明るさを調整する信号である、請求項１から３のいずれか１項に記載の照明装置。
【発明の詳細な説明】
【技術分野】
【０００１】
本発明は、蛍光ランプを点灯させる照明装置に関する。
【背景技術】
【０００２】
一般的なオフィスや家庭では、蛍光ランプの発光効率が上昇することから、５０Ｈｚまたは６０Ｈｚの商用周波数の交流電流から４０ｋＨＺから１００ｋＨｚ程度の高周波数に変換された交流電流で蛍光ランプを点灯させる照明器具が用いられている（特許文献１，２，３参照）。
【０００３】
図２は一般的な照明装置１０の構成を示すブロック図である。照明装置１０は複数の照明器具１２を有している。各照明器具１２は電源線１４を介して商用交流電源１１と接続している。各照明器具１２は、制御線１５を介して操作部（不図示）と接続しており、また、給電線１６を介してそれぞれの蛍光ランプ１３と接続している。操作部は、照明の明るさの調整や照明の点灯および消灯を行うためのスイッチやリモコンである。
【０００４】
蛍光ランプ１３は、希ガス放電を利用して発光するランプであり、例えば熱陰極ランプである。蛍光ランプ１３は照明器具１２から高周波数の交流電流が印加されて点灯する。
【０００５】
照明器具１２は、商用交流電源１１からの商用周波数の商用交流電流を高周波数の交流電流に変換して蛍光ランプ１３を点灯させる。照明器具１２には、電源回路およびスイッチング回路などが含まれている。電源回路とは、商用交流電流を一旦直流電流に変換する回路であり、例えばコンバータである。スイッチング回路とは、電源回路で変換された直流電流を高周波数の交流電流に変換する回路であり、例えばインバータである。
【０００６】
ユーザによって操作部が操作されると、制御線１５を介して操作部から各照明器具１２に同一の制御信号が送られる。制御信号とは、蛍光ランプ１３の明るさの調整や蛍光ランプ１３の点灯あるいは消灯を行うための信号である。操作部から制御信号を受信した各照明器具１２は制御信号に応じた制御をそれぞれの蛍光ランプ１３に対して行なう。例えば、制御信号が蛍光ランプ１３の点灯を示す信号である場合に、各照明器具１２は、操作部から制御信号を受信すると、それぞれの蛍光ランプ１３を点灯させる。
【特許文献１】特開２００６−３０２８３８号公報
【特許文献２】特開２００３−３４７０８４号公報
【特許文献３】特開平１０−２８４２６８号公報
【発明の開示】
【発明が解決しようとする課題】
【０００７】
上述したように図２の照明装置１０では、商用交流電源と各照明器具１２の間の電源線１４の配線に加えて、操作部と照明器具１２との間に制御線１５の配線が必要である。照明装置１０の設置環境によっては操作部と照明器具１２の間の配線が長くなり、配線や工事のコストを上昇させることがあった。
【０００８】
また、操作部と照明器具１２の間の配線が長くなると、電磁波などのノイズが制御線１５を流れる制御信号に混入してしまう可能性が高くなる。ノイズが制御信号に混入すると、照明器具１２は、制御信号を正常に検出できず、蛍光ランプ１４を所望の明るさで発光したり、あるいは点灯または消灯したりすることができないという問題点があった。
【０００９】
本発明の目的は、制御線の配線を短くすることのできる照明装置を提供することにある。
【課題を解決するための手段】
【００１０】
上記目的を達成するために、本発明の照明装置は、
蛍光ランプを点灯させる照明装置であって、
前記蛍光ランプを制御するための制御信号を、前記蛍光ランプを点灯させるための直流信号にのせて、該直流信号を接続線に送出する電源回路と、
前記接続線からの前記直流信号を、前記蛍光ランプを点灯させる交流信号に変換する機能を備え、前記直流信号の中から前記制御信号を検出すると、検出した前記制御信号に応じて前記蛍光ランプの点灯状態を制御する照明器具と、を有している。
【発明の効果】
【００１１】
本発明によれば、制御線を照明器具に配線せず電源回路に配線するので、制御線の配線を短くすることができる。
【発明を実施するための最良の形態】
【００１２】
本発明を実施するための形態について図面を参照して詳細に説明する。図１は本実施形態における照明装置１の構成を示すブロック図である。照明装置１は電源回路２および複数の照明器具３を有している。
【００１３】
電源回路２は、電源線１４を介して商用交流電源５に接続しており、また、制御線１５を介してスイッチなどの操作部（不図示）に接続している。各照明器具３は、接続線１７を介して電源回路２と接続しており、また、給電線１６を介して蛍光ランプ４と接続している。
【００１４】
本実施形態の概要を説明すると、電源回路２は、制御信号を直流信号にのせて、直流信号を接続線１７に送出する。例えば、電源回路２は、制御信号を直流信号に重ね合わせることにより、直流電流を変調し、変調した直流信号を接続線１７に送出する。照明器具３は、接続線１７からの直流信号を、蛍光ランプ４を点灯させる交流信号に変換する機能を備え、直流信号の中から制御信号を検出すると、検出した制御信号に応じて蛍光ランプ４の点灯状態を制御する。直流信号とは、蛍光ランプを点灯させるための信号であり、例えば直流電圧や直流電流である。交流信号とは、蛍光ランプを点灯させる信号であり、例えば交流電圧や交流電流である。
【００１５】
以下、照明装置１を構成する電源回路２および照明器具３について詳細に説明する。
【００１６】
電源回路２には、商用交流電源５から１００Ｖまたは２００Ｖの商用交流電圧が印加される。電源回路２は、商用交流電源５の交流電圧を直流電圧に変換し、直流電圧を各照明器具３に印加することにより、接続線１７を介して直流電流を各照明器具３に供給する。例えば、商用交流電源５から１００Ｖの交流電圧を印加された電源回路２は、４００Ｖの程度の直流電圧に変換し、直流電圧を各照明器具３に印加することによって、接続線１７を介して直流電流を各照明器具３に流す。
【００１７】
また、電源回路２は、ユーザによる操作部の操作により操作部から制御信号を受信すると、直流電流に制御信号をのせて各照明器具３に供給する。制御信号とは、照明装置の動作を制御するための信号であり、例えば、蛍光ランプ４の明るさを調整するための調光信号や蛍光ランプ４の点灯や消灯を行う切替信号である。
【００１８】
具体的には、電源回路２は、制御信号を直流電流に重ね合わせることにより、直流電流を変調し、それぞれの照明器具３に供給する。一般に制御信号は交流信号である。直流信号の波形と交流信号の波形ではそれぞれ波形の特性が異なる。交流信号である制御信号とは特性の異なる直流信号の波形に、制御信号をのせたほうが、制御信号の波形が崩れ難くなるなど相互の影響が少なくなる。したがって、制御信号を直流信号に重ね合わせることにより、照明器具３が制御信号をのせた直流信号を受信したときでも、直流信号から制御信号を容易に取り出すことができる。
【００１９】
照明器具３は、電源回路２から直流電流を供給されると、４０ｋＨｚから１００ｋＨｚ程度の高周波数の交流電圧に直流電圧を変換し、高周波数の交流電圧を蛍光ランプ４に印加する。これにより、蛍光ランプ４に直流電流が流れ蛍光ランプ４が点灯する。照明器具には、スイッチング回路などが含まれる。
【００２０】
また、照明器具３は、電源回路２から供給された直流電流の中から制御信号を検出すると、制御信号を抽出すると共に直流電圧を高周波数の交流電圧に変換し、制御信号に応じた交流電圧で蛍光ランプ４を印加する。なお、明るさの調整を行うことのできる照明器具３では、全光のときに最も低い周波数で蛍光ランプ４を点灯させるようにしてもよい。
【００２１】
具体的には、照明器具３は、電源回路２からの直流電流の中に制御信号を検出すると、フィルタ（不図示）などによって直流電流と制御信号とを分離し、制御信号を抽出する。
【００２２】
以上説明したように、本実施形態によれば、制御線１５が電源回路２に配線されるので、照明器具３への配線が不要となり、制御線１５の配線を短くすることができる。
【００２３】
なお、本実施形態では、複数の照明器具を用いて説明したが、一つの照明器具であっても同様の効果を得ることができる。
【００２４】
また、本実施形態によれば商用交流電源に接続される電源回路が一つですむので、照明装置を小型化することができる。
【００２５】
また、制御線に接続される電源回路を照明器具と別個に設置し、その電源回路を介してそれぞれの照明器具と接続するので、照明器具を増設あるいは減設する際に、それぞれの照明器具に対して制御線を接続あるいは取り除く工事を行なう必要がなく、配線工事の工数が増えることを防止できる。これにより、照明器具の配線工事に伴う工数を削減することができる。
【００２６】
また、本実施形態によれば、電源回路に交流電流が供給される例を示したが本発明はこれに限られない。例えば、電源回路に直流電源電圧が供給されるようにしてもよい。この場合、電源回路での交流電流から直流電流に変換する処理が不要となるので、よい簡単な構成の電源回路を作製することができる。
【図面の簡単な説明】
【００２７】
【図１】本実施形態における照明装置１の構成を示すブロック図である。
【図２】一般的な照明装置１の構成を示すブロック図である。
【符号の説明】
【００２８】
１    照明装置
２    電源回路
３    照明器具
４    蛍光ランプ
５    交流電源
１５  制御線
１６  給電線
１７  接続線
【図１】
2009134876.tif 000003
【図２】
2009134876.tif 000004